(57)【要約】【課題】収納容器から針付縫合糸を簡単且つ迅速に取り出すことができると共に、針付縫合糸を術者に確実に渡すことができる針付縫合糸の収納容器を提供する。【解決手段】外科手術用の針付縫合糸１０を収納する容器本体１００と、針付縫合糸１０の針部１１を保持する針保持部材２０と、該針保持部材２０を取外し可能に前記容器本体１００内に取り付ける取付機構１２１と、前記容器本体１００に前記針保持部材２０の一部が露出するように設けた開口部１１１とから構成してある。【選択図】図１
0003121164.tif 000002
【実用新案登録請求の範囲】
【請求項１】
外科手術用の針付縫合糸を収納する容器本体と、前記針付縫合糸の針部を保持する針保持部材と、該針保持部材を取外し可能に前記容器本体内に取り付ける取付機構と、前記容器本体に前記針保持部材の一部が露出するように設けた開口部とからなる針付縫合糸の収納容器。
【請求項２】
前記容器本体がブランクシートを折り曲げて形成してあり、前記開口部を有する天板部と、前記取付機構を有する中板部と、底板部とからなる請求項１に記載の針付縫合糸の収納容器。
【請求項３】
前記容器本体の開口部近傍を除く針付縫合糸の収納部に側板部を設けた請求項２に記載の針付縫合糸の収納容器。
【請求項４】
前記取付機構が前記針保持部材を挿入する挿入孔からなる請求項１乃至３の何れかに記載の針付縫合糸の収納容器。
【請求項５】
前記取付機構に前記針保持部材を押える押え片を設けた請求項４に記載の針付縫合糸の収納容器。
【請求項６】
前記押え片の先端部が前記開口部に露出するように設けた請求項５に記載の針付縫合糸の収納容器。
【請求項７】
前記針保持部材に前記挿入孔の縁部と係合する係合溝を設けた請求項４乃至６の何れかに記載の針付縫合糸の収納容器。
【請求項８】
前記針保持部材が架橋ポリオレフィン発泡体からなる請求項１乃至７の何れかに記載の針付縫合糸の収納容器。
【考案の詳細な説明】
【技術分野】
【０００１】
本考案は、外科手術用の針付縫合糸を収納する針付縫合糸の収納容器に関する。
【背景技術】
【０００２】
外科手術用の針付縫合糸は、輸送又は保管中に針付縫合糸を保護するために収納容器に収納され、更に無菌包装されている。この針付縫合糸を収納する収納容器としては、折り畳み可能な板紙からなる容器本体内部に発泡体を固着し、該発泡体に針付縫合糸の針部を刺入すると共に、縫合糸をペグ等に環状又は８の字状に巻き付けて収納するようにしたものが知られている（例えば、特許文献１乃至３参照）。
【０００３】
【特許文献１】特開平８−５２１４６号公報
【特許文献２】特開平７−１６３５７５号公報
【特許文献３】特開昭５７−１１９７３３号公報
【考案の開示】
【考案が解決しようとする課題】
【０００４】
しかし、特許文献１乃至３に記載の収納容器では、容器本体内部に固着している発泡体に針部を刺入しているために、容器本体を開封しないと針付縫合糸を取り出すことができなかった。また、縫合糸が容器本体内部のペグ等に環状又は８の字上に巻き付けて収納されているために、針付縫合糸を容器本体から取り出すのが煩雑であるという課題があった。
【０００５】
特に、血管や神経等を縫合する外科手術では、使用する針付縫合糸が微細な上、縫合手術にルーペを使用するために視界が狭くなり、針付縫合糸の受け渡しが難しくなっている。そこで、収納容器から針付縫合糸を簡単に取り出すことができると共に、針付縫合糸を術者に確実に渡すことができる針付縫合糸の収納容器が求められていた。
【課題を解決するための手段】
【０００６】
本考案は、上記課題を解決するために、外科手術用の針付縫合糸を収納する容器本体と、前記針付縫合糸の針部を保持する針保持部材と、該針保持部材を取外し可能に前記容器本体内に取り付ける取付機構と、前記容器本体に前記針保持部材の一部が露出するように設けた開口部とからなる針付縫合糸の収納容器を提供するものである。
【０００７】
また、本考案は、前記容器本体がブランクシートを折り曲げて形成してあり、前記開口部を有する天板部と、前記取付機構を有する中板部と、底板部とからなる請求項１に記載の針付縫合糸の収納容器を提供するものである。
【０００８】
また、本考案は、前記容器本体の開口部近傍を除く針付縫合糸の収納部に側板部を設けた請求項２に記載の針付縫合糸の収納容器を提供するものである。
【０００９】
また、本考案は、前記取付機構が前記針保持部材を挿入する挿入孔からなる請求項１乃至３の何れかに記載の針付縫合糸の収納容器を提供するものである。
【００１０】
また、本考案は、前記取付機構に前記針保持部材を押える押え片を設けた請求項４に記載の針付縫合糸の収納容器を提供するものである。
【００１１】
また、本考案は、前記押え片の先端部が前記開口部に露出するように設けた請求項５に記載の針付縫合糸の収納容器を提供するものである。
【００１２】
また、本考案は、前記針保持部材に前記挿入孔の縁部と係合する係合溝を設けた請求項４乃至６の何れかに記載の針付縫合糸の収納容器を提供するものである。
【００１３】
また、本考案は、前記針保持部材が架橋ポリオレフィン発泡体からなる請求項１乃至７の何れかに記載の針付縫合糸の収納容器を提供するものである。
【考案の効果】
【００１４】
本考案に係る針付縫合糸の収納容器によれば、外科手術用の針付縫合糸を収納する容器本体と、前記針付縫合糸の針部を保持する針保持部材と、該針保持部材を取外し可能に前記容器本体内に取り付ける取付機構と、前記容器本体に前記針保持部材の一部が露出するように設けた開口部とからなる構成を有することにより、容器本体を開封しなくても容器本体の開口部から針保持部材を取り外すことができるから、針保持部材が針付縫合糸の針部を保持した状態で容器本体から針付縫合糸を簡単且つ迅速に取り出すことができると共に、針保持部材に保持された針部を術者が容易に確認することができるから、針付縫合糸を術者に確実に渡すことができる効果がある。
【００１５】
また、本考案は、前記容器本体がブランクシートを折り曲げて形成してあり、前記開口部を有する天板部と、前記取付機構を有する中板部と、底板部とからなる請求項１に記載の構成を有することにより、簡単且つ安価に容器本体を形成することができる効果がある。
【００１６】
また、本考案は、前記容器本体の開口部近傍を除く針付縫合糸の収納部に側板部を設けた請求項２に記載の構成を有することにより、側板部によって収納部に空間が形成されるから、針付縫合糸の取り出し時などに縫合糸が絡まるのを防止することができる。また、開口部近傍に側板部を設けないことにより、輸送又は保管中に針保持部材が容器本体から脱落するのを防止することができる効果がある。
【００１７】
また、本考案は、前記取付機構が前記針保持部材を挿入する挿入孔からなる請求項１乃至３の何れかに記載の構成を有することにより、針保持部材を挿入孔から引き抜くという簡単な操作によって容器本体内から針付縫合糸を迅速に取り出すことができる効果がある。
【００１８】
また、本考案は、前記取付機構に前記針保持部材を押える押え片を設けた請求項４に記載の構成を有することにより、輸送又は保管中に針保持部材が取付機構から外れるのを防止することができる効果がある。
【００１９】
また、本考案は、前記押え片の先端部が前記開口部に露出するように設けた請求項５に記載の構成を有することにより、針保持部材の開口部から露出する部分も押え片により押えることができ、輸送又は保管中に針保持部材が容器本体から脱落するのを確実に防止することができる効果がある。
【００２０】
また、本考案は、前記針保持部材に前記挿入孔の縁部と係合する係合溝を設けた請求項４乃至６の何れかに記載の構成を有することにより、輸送又は保管中に針保持部材が取付機構から外れるのを確実に防止することができる効果がある。
【００２１】
また、本考案は、前記針保持部材が架橋ポリオレフィン発泡体からなる請求項１乃至７の何れかに記載の構成を有することにより、針付縫合糸の滅菌処理時の減圧及び加圧によって針保持部材が殆ど変形しない効果がある。
【考案を実施するための最良の形態】
【００２２】
本考案の実施の形態を図示する実施例に基づいて説明する。
本考案に係る針付縫合糸の収納容器は、外科手術用の針付縫合糸１０を収納する容器本体１００と、針付縫合糸１０の針部１１を保持する針保持部材２０と、該針保持部材２０を取外し可能に前記容器本体１００内に取り付ける取付機構１２１と、前記容器本体１００に前記針保持部材２０の一部が露出するように設けた開口部１１１とから構成してある。
【実施例１】
【００２３】
図示の実施例において、容器本体１００は、図４に示す紙製のブランクシート１０１を折曲線１０２，１０３，１０４，１０５で折り曲げて形成してあり、一端に開口部１１１を有する天板部１１０と、取付機構１２１を有する中板部１２０と、底板部１３０とから構成してある。また、容器本体１００の両側面には、開口部１１１の近傍を除く針付縫合糸１０の収納部１０６に折曲線１０２で囲まれた側板部１４０と、折曲線１０４で囲まれた側板部１４１を設けて、針付縫合糸１０の糸部１２を収納する空間を形成してある。
【００２４】
図示の実施例において、折曲線１０２，１０３，１０４，１０５はミシン目によって形成してあるが、ドットラインやハーフカットライン等によって形成することもでき、又、ブランクシート１０１の肉厚を圧縮して形成することも可能である。
【００２５】
天板部１１０及び中板部１２０には、開口部１１１の反対側端部に係合突部１１２，１２５を設けてある。また、底板部１３０には、円弧状の切込み１３１で縁取られた係合片１３２を設けてあり、係合突部１１２，１２５を切込み１３１に挿入し係合片１３２と係合させて、容器本体１００の組み立てられた状態を維持することができるように構成してある。
【００２６】
図３及び図４に示すように、取付機構１２１は、針保持部材２０を挿入するＵ字形状の挿入孔１２２と、針保持部材２０を押えることができるように舌状に形成した押え片１２４とから構成してある。また、図１に示すように、押え片１２４は、容器本体１００を組み立てた状態で先端部が開口部１１１に露出するように設けてある。
【００２７】
図示の実施例において、針保持部材２０は、架橋ポリオレフィン発泡体シートを打ち抜いて形成してある。図１乃至図４に示すように、針保持部材２０は、容器本体１００の挿入孔１２２に挿入する台形状の挿入部２１と、容器本体１００の開口部１１１から露出するように形成した把持部２２と、この把持部２２の側面を凹状にカットし針部１１を刺し入れて保持するように形成した針保持部２４とから構成してある。
【００２８】
また、針保持部材２０は、挿入部２１と把持部２２の境界部に係合溝２３を設けてあり、係合溝２３を挿入孔１２２の縁部１２３と係合させて、収納容器の輸送又は保管中に針保持部材２０が取付機構１２１から外れないようにしてある。
【００２９】
次に、針付縫合糸１０を容器本体１００に収納する手順について説明する。
針付縫合糸１０の針部１１を針保持部材２０の針保持部２４に刺し入れて、針付縫合糸１０を針保持部材２０に保持させる。この針保持部材２０の挿入部２１を取付機構１２１の挿入孔１２２に挿入し、係合溝２３を挿入孔１２２の縁部１２３と係合させる。
針付縫合糸１０の糸部１２を中板部１２０に沿って伸ばしておき、針保持部材２０の把持部２２が天板部１１０と中板部１２０の内側になるように折曲線１０２，１０３を折り曲げて、天板部１１０に中板部１２０を重ね合わせる。そして、底板部１３０を中板部１２０に重ね合わせるように折曲線１０４，１０５を折り曲げ、係合突部１１２，１２５を切込み１３１に挿入して係合片１３２と係合させることにより、図１及び図３に示すように、針付縫合糸１０を容器本体１００に収納することができる。
【００３０】
図３に示すように、針保持部材２０の挿入部２１は、底板部１３０と押え片１２４によって挟持されると共に、係合溝２３と挿入孔１２２の縁部１２３が係合しているから、輸送又は保管中に針保持部材２０が容器本体１００から脱落するのを確実に防止することができる。また、針付縫合糸１０の糸部１２を収納する収納部１０６は、側板部１４０，１４１により空間を形成してあるから糸部１２が絡まるのを防止することができる。更に、開口部１１１の近傍には側板部１４０，１４１を設けないで空間を狭くしているから、容器本体１００から針保持部材２０を取り出すときに、糸部１２が少しずつ引き出されて糸部１２が絡まるのを防止することができる。
【００３１】
また、図５に示すように、容器本体１００は無菌包装３０で包装され、滅菌処理してある。この滅菌処理時の過熱工程において、容器本体１００の形状を固定することができる。
【００３２】
針付縫合糸１０の使用時には、容器本体１００を無菌包装３０から取り出し、図２に示すように、把持部２２を把持して針保持部材２０を容器本体１００の開口部１１１から引き抜くことにより、針保持部材２０が針付縫合糸１０を保持した状態で容器本体１００から取り出すことができる。この針保持部材２０を術者に渡すことにより、術者は針保持部２４に保持された針部１１を容易に確認することができる。
また、使用後には、針部１１を針保持部材２０に刺して使用済み針付縫合糸１０を確実に回収することができる。また、縫合手術時に、針保持部材２０を術野シートとして使用することも可能である。
【図面の簡単な説明】
【００３３】
【図１】本考案に係る針付縫合糸の収納容器の一実施例を示す斜視図。
【図２】その一実施例の使用状態を示す斜視図。
【図３】その一実施例の要部を示す一部縦断側面図。
【図４】その一実施例の展開図。
【図５】その一実施例の使用状態を示す斜視図。
【符号の説明】
【００３４】
１０  針付縫合糸
１１  針部
１２  糸部
２０  針保持部材
２１  挿入部
２２  把持部
２３  係合溝
２４  針保持部
３０  無菌包装
１００  容器本体
１０１  ブランクシート
１０２，１０３，１０４，１０５  折曲線
１０６  収納部
１１０  天板部
１１１  開口部
１１２  係合突部
１２０  中板部
１２１  取付機構
１２２  挿入孔
１２３  縁部
１２４  押え片
１２５  係合突部
１３０  底板部
１３１  切込み
１３２  係合片
１４０，１４１  側板部
【図１】
0003121164.tif 000003
【図２】
0003121164.tif 000004
【図３】
0003121164.tif 000005
【図４】
0003121164.tif 000006
【図５】
0003121164.tif 000007